(57)【要約】      （修正有）【課題】１枚ないし複数枚の中材をカバーに簡単に出し入れすることが出来るマットレスを提供する。【解決手段】マットレス１のカバー３裏面の三方にはファスナー５を沿設し、各コーナーは滑らかな円弧を成し、該ファスナーを開閉する為に一方端から他方端にスライド移動するスライダーを設け、ファスナーを開いてカバー裏面を大きく開口して中材を出し入れ可能としている。【選択図】図１
0003229883.tif 000002
【実用新案登録請求の範囲】
【請求項１】
１枚ないし複数枚の中材をカバーに収容してなるマットレスにおいて、マットレスのカバー裏面の三方にはファスナーを沿設し、各コーナーは滑らかな円弧を成し、該ファスナーを開閉する為に一方端から他方端にスライド移動するスライダーを設け、ファスナーを開いてカバー裏面を大きく開口することで中材の出し入れ可能としたことを特徴とするマットレス。
【請求項２】
上記中材を１枚とした請求項１記載のマットレス。
【請求項３】
上記中材を３枚とした請求項１記載のマットレス。
【請求項４】
１枚ないし複数枚の中材を収容するマットレスのカバーにおいて、該カバーの裏面三方にはファスナーを沿設し、各コーナーは滑らかな円弧を成し、該ファスナーを開閉する為に一方端から他方端にスライド移動するスライダーを設け、ファスナーを開いてカバー裏面を大きく開口することで中材の出し入れ可能としたことを特徴とするマットレスのカバー。
【考案の詳細な説明】
【技術分野】
【０００１】
本考案は中材を簡単に出し入れすることが出来るマットレスに関するものである。
【背景技術】
【０００２】
マットレスはクッション性を有す中材とカバーから成り、中材はカバーに収容されて使われる。中材は一定厚さの長方形を有し、カバーには一辺にファスナーが設けられ、該ファスナーを開いて開口することで、中材をカバーから出し入れすることが出来る。
中材には複数のコイルスプリングを配列したコイル系と、コイルスプリングを持たないノンコイル系とに大別される。
【０００３】
コイル系マットレスは、内蔵した複数のコイルスプリングによって支えることが出来、その為に体の大きな人に適している。これに対して、ノンコイル系は、低反発材が用いられ、包み込まれるような柔らかさを有し、硬いベットでは眠れない人に適し、一般的に子供や女性に好まれている。
【０００４】
ところで、マットレスは毎日使われる為に、時々カバーを外して洗濯しなくてはならない。
図５はマットレスのカバー（イ）から中材（ロ）を取外す場合を表している。長方形をしたカバー（イ）の長辺にはファスナー(ホ)が設けられ、このファスナー(ホ)を開くことで開口し、この開口から中材（ロ）を取出すことが出来る。しかし、中材（ロ）は比較的重く、その為に該開口から中材（ロ）を取出す作業は面倒であり、力の弱い女性にとっては容易でない。
【０００５】
図６は３つ折りのマットレスを表しているが、１／３の大きさ及び重量と成った中材（ハ）は、仕切りを介して３つの空間を形成したカバー（ニ）、（ニ）・・・のそれぞれの空間に収容されている。各々の中材（ハ）、（ハ）・・・は、その大きさ及び重量が１／３と成っていることで、カバー（ニ）、（ニ）・・・の各収容空間から取出し易いが、その分、時間はかかる。
【０００６】
実用新案登録第３１８５１８１号に係る「マットレスカバー」は、マットレス全体を覆うタイプのマットレスカバーにおいて、マットレスへの着脱を容易にするマットレスカバーである。
マットレスカバーは、マットレスの上面を覆う上面部と、側面を覆う側面部と、下面を覆う下面部とから構成されている。また、上面部，下面部は、それぞれ外縁に沿って線ファスナーが設けられていると共に、側面部は、両側に位置する各縁部に沿って線ファスナーが設けられている。そして、上面部は、線ファスナーにより側面部に着脱可能に構成されていると共に、下面部は、線ファスナーにより側面部に着脱可能に構成されている。
【０００７】
第３０１４０６８号に係る「ベッド用の寝具カバー」は、ベッド用のマットレスや掛布団の縁飾り等の側周片の付いた寝具カバ−を、折りたたみやすく、かつ洗濯がしやすくなってる。
ベッド用のマットレスや掛布団の寝具カバ−本体の周囲に縁飾り等の側周片をファスナーで着脱可能に取り付けるようにしている。ファスナーは、その一側の係合片を寝具カバー本体の上辺の一端部側から側辺、下辺、側辺、上辺の他端部側にわたって連続して取り付け、ファスナーの他側の被係合片を寝具カバ−本体の上記三辺に対応した縁飾り等の側周片の内側縁に取り付けている。そのため、寝具カバー本体に縁飾り等の側周片をファスナーで容易に着脱可能に取り付けられ、寝具カバ−を折りたたみやすく、洗濯がしやすくできる。
【特許文献１】実用新案登録第３１８５１８１号に係る「マットレスカバー」
【特許文献２】第３０１４０６８号に係る「ベッド用の寝具カバ」
【考案の開示】
【考案が解決しようとする課題】
【０００８】
このように、従来のマットレスには上記のごとき問題があり、カバーを分離して洗濯をすることは容易でない。本考案が解決しようとする課題はこの問題点であり、カバーを大きく開口して中材を簡単に取り出すことが出来るマットレスを提供する。
【課題を解決するための手段】
【０００９】
本考案に係るマットレスは、中材をカバーから簡単に取外し出来、又中材をカバーに収容することが出来るカバー構造としている。そこで、マットレスのカバー裏面は開口出来るようにファスナーが三方に設けられ、ほぼ全体が開口する。すなわち、一辺にのみファスナーが存在せず、該一辺を開口軸として捲り上げることが出来るように構成している。
【００１０】
三方に設けているファスナーは連続し、その為にスライダーが一方端から他方端までスライド移動することで、該ファスナーは解除されて開くことが出来る。
ファスナーが設けられる位置は、外側面から僅か内側に位置する辺に沿って設けられる。
ところで、カバーに収容される中材の具体的な構造は特に限定しない。例えば、複数のコイルスプリングを配列して構成したり、又は低反発材料で構成するなど、その構造は色々ある。
【考案の効果】
【００１１】
本考案に係るマットレスは、カバーの裏面三方にはファスナーが設けられ、該ファスナーを解除することで、該裏面のほぼ全面を開口することが出来る。その為に、大きな開口から中材を簡単に取り出すことが出来、また開口から中材を簡単に配列・収容することが出来る為に、カバーの洗濯を定期的に行うことが可能となる。
すなわち、側面に設けたファスナーを解除した開口から中材を取出す場合に比較して簡単であり、しかも容易である。
【図面の簡単な説明】
【００１２】
【図１】マットレスの裏面を示す外観図であって、裏面カバーが閉じている場合。
【図２】マットレスの裏面を示す外観図であって、裏面カバーが開いて開口し、３枚の中材が収容されている場合。
【図３】カバーの収容部に３枚の中材を挿入・配列する工程。
【図４】裏面カバーを開いて中材を挿入・配列する手順を表している。
【図５】カバーから大きな１枚の中材を取り出す場合。
【図６】カバーから３枚の中材を取り出す場合。
【考案を実施するための形態】
【００１３】
図１は本考案のマットレスを示す実施例であり、裏面を表している。同図の１はマットレス、２は架台を表し、上記マットレス１は架台２の上に載置されている。ベットとして使用されるマットレス１は表面を上面として架台２に載置されるが、カバー３から中材４を取出す場合には、同図に示すようにマットレス１は裏返し状態とする。
【００１４】
該マットレス１の裏面には三方にファスナー５が設けられ、これら三方に設けているファスナー５ａ，５ｂ，５ｃは連続し、コーナーは円弧を成している。従って、ファスナー５の一方端にスライダーが設けられ、該スライダーがファスナーに沿ってスライド移動するならば、解除されて裏面を開いて大きく開口することが出来る。ファスナー５ａ，５ｂ，５ｃにて囲まれた内側裏面が捲られて開口することが出来る。
【００１５】
同図に示すマットレス裏面は、手前側の辺６にはファスナーがない為に、この辺を開口軸として裏面７は捲り上げられて開口する。
図２は裏面７が開いて開口した場合を示しているが、マットレス１のカバー３内には３枚の中材４，４，４が配列している。これら中材４，４，４は裏面７が捲られて上方が大きく開口することで、開口から簡単に、しかも手軽に取り出すことが出来る。
【００１６】
図３は裏面７が開口したカバー３に中材４１，４２，４３を挿入して配列する場合を示している。３枚の中材４１，４２，４３は番号で示す手順にしたがって挿入し、最後に中央空間に嵌めることが出来る。３枚の中材４１，４２，４３が嵌ったところで、スライダーをスライドしてファスナー５が閉じられる。
【００１７】
図４（ａ）〜（ｃ）は３枚の中材４１，４２，４３をセットする実際の作業工程を示している。
（ａ）は裏面７を捲り上げて左側を開口した場合で、開口した左側空間に中材４１がセットされる。（ｂ）は裏面７を捲り上げて右側を開口した場合で、開口した右側空間には中材４２がセットされている。（ｃ）は内部空間の両側に中材４１，４２がセットされ、最後に空いている中央空間に中材４３をセットした場合である。
【００１８】
このように、３枚の中材４１，４２，４３がセットされたならば、開いている裏面７を被せ、スライダーをスライド移動してファスナー５を閉じることが出来る。裏面７を閉じたところで、マットレス１は上下方向を反転してベットとして使われる。すなわち、ファスナー５及びスライダーが裏側面にあることで、ベットに横たわった際に体に当たらないようにしている。
上記実施例は３枚の中材４１，４２，４３を有すマットレス１であるが、１枚の中材４の場合も、ファスナー５を解除することで裏面７を大きく開口し、該中材４の出し入れを行うことが出来る。
【００１９】
マットレス１を構成する中材４の枚数に関しては限定しない。すなわち、１枚であったり、３枚であったり、又はそれ以上の枚数とすることも出来る。
マットレス上面に作用する荷重は均一ではなく、横たわった際に尻部が載る中央部には大きな負荷が働く。足元は比較的小さい荷重となり、その為に同図に示すように中材４を３分割することで、作用する荷重に応じた弾性支持力を付与することが出来る。例えば、内蔵するコイルスプリングの本数を調整したり、又はコイルスプリング自体の弾性撓みを調整することが出来る。
【符号の説明】
【００２０】
１   マットレス
２   架台
３   カバー
４   中材
５   ファスナー
６   手前側辺
７   裏面
【図１】
0003229883.tif 000003
【図２】
0003229883.tif 000004
【図３】
0003229883.tif 000005
【図４】
0003229883.tif 000006
【図５】
0003229883.tif 000007
【図６】
0003229883.tif 000008